(57)【要約】  【課題】    バッテリが必要とする充電電力を自動的に判別し、充電模式を自動選定し、出力電力の型態の自動切換えが可能な、高充電効率の充電器の提供。  【解決手段】    殻体、台座、底板、面板、通風板、制御回路板、駆動回路板、放熱片、ファン、出力端、入力端から構成され、前記制御回路板上にはバッテリの状態を感知するセンサとその感知結果に基づき充電模式を選定するマイクロプロセッサを設け、前記駆動回路板上に整流回路、フィルター回路及び制御回路を設け、チョークコイルとチョーク鉄心が放熱片の平面上に設けられ、面板、制御回路板、駆動回路板、放熱片、ファン及び通風板は、分離・直列の配列で台座上に設置され、その回路は、入力された電源が入力端から駆動回路板に入り、整流回路を介して交流電流が直流電流に変換され、チョークコイルのインピーダンスマッチングを経て電力効率と安定性が向上された後フィルター回路に入り、安定した直流電流となる。  【選択図】    図２  
0003106653.tif 000002
【実用新案登録請求の範囲】
【請求項１】
殻体、台座、底板、面板、通風板、制御回路板、駆動回路板、放熱片、ファン、出力端、入力端から構成される充電器であって、前記制御回路板上にはバッテリの電圧、電流及び電量を感知するセンサとマイクロプロセッサを設け、前記駆動回路板上に整流回路、フィルター回路及び制御回路を設け、そのうち、チョークコイルとチョーク鉄心が放熱片の平面上に設けられ、面板、制御回路板、駆動回路板、放熱片、ファン及び通風板を、分離・直列の配列で台座上に設置した後、殻体を被せてネジ留めし、底部は台座ネジを底板に穿通してネジ留めして成ることを構造上の特徴とし、さらにその回路は、入力された電源が入力端から駆動回路板に入り、整流回路を介して交流電流が直流電流に変換され、チョークコイルが発するインピーダンスマッチングを経て電力効率と安定性が向上された後フィルター回路に入り、電源が安定した直流電流となり、その充電時には、センサがバッテリ内部の電圧、電流、電量の状況を感知し、感知結果をマイクロプロセッサ内部へ送り、マイクロプロセッサが充電模式を選定した後、トランジスタを介し出力回路の型態を切換え、ダイオードで電流のフィードバックを防止し、電圧レギュレータICを介し再度安定化された電力を出力すると共に、同時に充電したバッテリが電流を発生し他の回路へフィードバックするのを防ぐため、変圧器を介し電力出力端をカップリングし、さらに整流回路とフィルター回路を経て電力の安定性を向上した後、電力をバッテリ内に入れることを特徴とし、また、電力を出力するときは、チョークコイルとチョーク鉄心が発生するインピーダンスマッチングが充電効率と安定性を向上し、且つ、そのチョークコイルに鉄粉芯を採用したことで、チョークコイルの耐ノイズ性とインピーダンスマッチングが向上されることを特徴とする充電器。
【請求項２】
前記整流回路をさらに半波整流回路、全波整流回路、ブリッジ整流回路及び関連電子回路の交流整流回路とした、請求項１に記載の充電器。
【請求項３】
前記フィルター回路をさらに抵抗‐コンデンサフィルター及び関連電力電子フィルターとした、請求項1に記載の充電器。
【請求項４】
前記マイクロプロセッサをさらにAVR Megaシリーズ及び関連電子回路自動制御マイクロプロセッサとした、請求項1に記載の充電器。
【請求項５】
前記トランジスタをさらにFET（Field-Effect
Transistor: 電界効果トランジスタ）、MOS（Metal Oxide Semiconductor: 金属酸化膜半導体）、BJT（Bipolar
Junction Transistor: バイポーラトランジスタ）及び関連電子回路トランジスタとした、請求項1に記載の充電器。
【考案の詳細な説明】
【技術分野】
【０００１】
本考案は充電器に関し、特にチョークコイルとチョーク鉄心が放熱片の平面上に設けられ、また面板、制御回路板、駆動回路板、放熱片、ファン、通風板を、分離直列の配列で台座上に設置した後、殻体を被せてネジ留めし、底部は台座ネジを底板に穿通してネジ留めされて成る充電器であって、その回路は入力された電源が入力端から駆動回路板に入り、整流回路を介して交流電流が直流電流に変換され、チョークコイルで発生したインピーダンスマッチングを経て電力効率と安定性が向上された後フィルター回路に入り、電源が安定した直流電流となり、その充電時には、センサがバッテリ内部の電圧、電流、電量の状況を感知し、感知結果をマイクロプロセッサ内部へ送り、マイクロプロセッサが充電模式を選定した後、トランジスタを介し出力回路の型態を切換え、ダイオードで電流のフィードバックを防止し、電圧レギュレータICを介し再度安定化された電力を出力すると共に、同時に充電したバッテリが電流を発生し他の回路へフィードバックするのを防ぐため、変圧器を介し電力出力端をカップリングし、さらに整流回路とフィルター回路を経て電力の安定性を向上した後、電力をバッテ
リ内に入れることを特徴とする充電器に関する。
【０００２】
また、電力を出力するときは、チョークコイルとチョーク鉄心が発生するインピーダンスマッチングが充電効率と安定性を向上し、且つ、そのチョークコイルに鉄粉芯を採用したことで、チョークコイルの耐ノイズ性とインピーダンスマッチングが向上される
ことを特徴とする充電器に関する。
【背景技術】
【０００３】
一般的な従来の充電器は、あらかじめ充電器の出力電流と電圧を調整することで、充電時の電量過多によるバッテリの寿命短縮やバッテリの焼きつき、また充電器の出力電力が不安定のとき、異なる電力型態のバッテリに対応できず、バッテリの寿命短縮や破損に繋がってしまうのを防ぐ必要がある。
【考案の開示】
【考案が解決しようとする課題】
【０００４】
本考案は、バッテリが必要とする充電電力を自動的に判別し、多様な充電模式を自動選定し、出力する電力と型態の自動切換えが可能な、高充電効率でバッテリの寿命を短縮することのない、充電器の提供を目的とする。
【課題を解決するための手段】
【０００５】
図１及び図２に示すように、本考案の充電器Aは、殻体B、台座B1、底板B２、面板B３、通風板B４、制御回路板C、駆動回路板C１、放熱片D、ファンE、出力端P及び入力端Qから構成され、そのうち、前記制御回路板C上にセンサMとマイクロプロセッサOを設置し、前記駆動回路板C１上に整流回路F、J、フィルター回路G、K、制御回路Hを設け、チョークコイルLと変圧器Iを放熱片Dの平面上に設置し、面板B３、制御回路板C、駆動回路板C１、放熱片D、ファンE、通風板B４をそれぞれ分離直列の配列で台座B１上に設置した後、殻体Bを被せてネジ留めし、底部は台座ネジB２１を底板B２に穿通してネジ留めする。
【０００６】
図２及び図３に示すように、その回路の特徴は、外部から入力された電源が、入力端Qから駆動回路板C１に入り、整流回路Fを経て交流電流が直流電流に変換され、チョークコイルLで発生したインピーダンスマッチングを経て電力効率と安定性が向上された後、フィルター回路Gに入り、フィルター回路G内のキャパシタG1が発生する充放電を利用しフィルタリングを完了後、電源を安定した直流電流とする。その充電時には、センサMが充電しようとしているバッテリT内部の電圧、電流、電量の状況を感知し、その感知結果をマイクロプロセッサO内部へ送り、マイクロプロセッサOが充電されるバッテリTの充電模式を選定した後、トランジスタH２１、H２２、H２３、H２４を経て出力回路の型態を切換え、ダイオードH３１、H３２、H３３、H３４で電流のフィードバックを防止し、レギュレータIC
H１１、H１２、H１３、H１４を介し再度電力を安定化した後、充電されるバッテリTの電力が他の回路にフィードバックするのを防ぐため、変圧器Iを介して電力出力端をカップリングし、さらに整流回路Jとフィルター回路Kを経て電力の安定性を向上した後、バッテリT内に入力される。
【０００７】
また、電力を出力するときは、チョークコイルLが発生するインピーダンスマッチングを経て充電効率と安定性を向上し、且つ、そのチョークコイルLに鉄粉芯を採用することで、チョークコイルLの耐ノイズ性とインピーダンスマッチングを向上する。
【０００８】
前記のうち、該整流回路Fはさらに半波整流回路、全波整流回路、ブリッジ整流回路及び関連電子回路の交流整流回路とする。
【０００９】
前記のうち、該フィルター回路Gはさらに抵抗‐コンデンサフィルター及び関連電力電子フィルターとする。
【００１０】
前記のうち、該マイクロプロセッサOはさらにAVR Megaシリーズ及び関連電子回路自動制御マイクロプロセッサとする。
【００１１】
前記のうち、該センサは電圧、電流、電量の感知機能を備えたものとする。
【考案の効果】
【００１２】
本考案の進歩性と実用性をより明確にするため、以下従来のものと比較して説明する。
従来品の欠点
１、  
バッテリが必要とする電力を充電器が自動的に判別することはできない。
２、  
電池の電力型態により出力する電力を制御することはできない。
３、  
バッテリ内部の電量に基づき出力電力を調整することはできず、バッテリの寿命が短縮されやすい。
本考案の利点
１、  
マイクロプロセッサを備えており、バッテリが必要とする充電電力を自動的に判別できる。
２、  
センサ回路と制御回路を利用し、出力する電力と型態を自動的に切換えることができる。
３、  
定格電圧、定格電流等、多様な充電模式を自動判別する。
４、  
充電効率を向上し、バッテリの寿命を延長することができる。
５、  
進歩性があり、実用的で便利である。
６、  
産業競争力が向上される。
【考案を実施するための最良の形態】
【００１３】
本考案の実施方法は、図４に示すように、入力端QにプラグQ1が接続され、電力を充電器A内部に入力し、充電器A内部の回路を介し、電力を出力端PのクリップP１からバッテリTに入力する。バッテリTの接触端T１と充電器AのクリップP１が接続され、電力が伝送される。
【００１４】
以上、本考案について説明してきたが、本考案は従来技術の構造を打破し、確実に求められる機能を増進でき、且つ、関連技術に詳しい技術者でなくても容易に理解でき、さらに、本考案はこれまで公開されておらず、その進歩性と実用性は、実用新案の出願条件を満たしているため、ここに出願するものである。
【００１５】
上述の最良の実施例は本考案の特許範囲を制限するものではなく、本考案の説明と図示内容を運用した同等効果の構造を、直接的または間接的に関連技術領域に応用したものは、すべて本考案の要旨に逸脱しないものとみなし、本考案に含まれるものとする。
【図面の簡単な説明】
【００１６】
【図１】本考案の立体図である。
【図２】本考案の立体分解図である。
【図３】本考案の回路図である。
【図４】本考案の実施例を示す立体斜視図である。
【符号の説明】
【００１７】
A        充電器
B        殻体
B１      台座
B２      底板
B２１    台座ネジ
B３      面板
B４      通風板
C        制御回路板
C１      駆動回路板
D        放熱片
E        ファン
F        整流回路
G        フィルター回路
G１      コンデンサ
H        制御回路
H1１、H１２、H１３、H１４    レギュレータIC    
H２１、H２２、H２３、H２４    トランジスタ
H３１、H３２、H３３、H３４    ダイオード
I        変圧器
J        整流回路
K        フィルター回路
L        チョークコイル
M        センサ
O        マイクロプロセッサ
P        出力端
P１      クリップ
Q        入力端
Q１      プラグ
T        バッテリ
T１      接触端
【図１】
0003106653.tif 000003
【図２】
0003106653.tif 000004
【図３】
0003106653.tif 000005
【図４】
0003106653.tif 000006
【手続補正書】
【提出日】平成16年9月15日(2004.9.15)
【手続補正１】
【補正対象書類名】実用新案登録請求の範囲
【補正対象項目名】請求項１
【補正方法】変更
【補正の内容】
【請求項１】
殻体、台座、底板、面板、通風板、制御回路板、駆動回路板、放熱片、ファン、出力端、入力端から構成される充電器であって、前記制御回路板上にはバッテリの電圧、電流及び電量を感知するセンサとマイクロプロセッサを設け、前記駆動回路板上に整流回路、フィルター回路及び制御回路を設け、前記放熱片の平面上には、チョークコイルとチョーク鉄心が設けられ、面板、制御回路板、駆動回路板、放熱片、ファン及び通風板を、台座上に設置するとともに、これらを殻体を被せてネジ留めし、底部は台座ネジを底板に穿通してネジ留めして成ることを構造上の特徴とする充電器。
【手続補正２】
【補正対象書類名】実用新案登録請求の範囲
【補正対象項目名】請求項４
【補正方法】変更
【補正の内容】
【請求項４】
前記マイクロプロセッサをさらに関連電子回路自動制御マイクロプロセッサとした請求項1に記載の充電器。
【手続補正３】
【補正対象書類名】実用新案登録請求の範囲
【補正対象項目名】請求項５
【補正方法】変更
【補正の内容】
【請求項５】
前記トランジスタをさらに電界効果トランジスタ、金属酸化膜半導体、バイポーラトランジスタ及び関連電子回路トランジスタとした請求項1に記載の充電器。
【手続補正４】
【補正対象書類名】明細書
【補正対象項目名】全文
【補正方法】変更
【補正の内容】
【考案の詳細な説明】
【技術分野】
【０００１】
本考案は充電器に関し、特にチョークコイルとチョーク鉄心が放熱片の平面上に設けられ、また面板、制御回路板、駆動回路板、放熱片、ファン、通風板を、分離直列の配列で台座上に設置した後、殻体を被せてネジ留めし、底部は台座ネジを底板に穿通してネジ留めされて成る充電器であって、その回路は入力された電源が入力端から駆動回路板に入り、整流回路を介して交流電流が直流電流に変換され、チョークコイルで発生したインピーダンスマッチングを経て電力効率と安定性が向上された後フィルター回路に入り、電源が安定した直流電流となり、その充電時には、センサがバッテリ内部の電圧、電流、電量の状況を感知し、感知結果をマイクロプロセッサ内部へ送り、マイクロプロセッサが充電模式を選定した後、トランジスタを介し出力回路の型態を切換え、ダイオードで電流のフィードバックを防止し、電圧レギュレータICを介し再度安定化された電力を出力すると共に、同時に充電したバッテリが電流を発生し他の回路へフィードバックするのを防ぐため、変圧器を介し電力出力端をカップリングし、さらに整流回路とフィルター回路を経て電力の安定性を向上した後、電力をバッテリ内に入れることを特徴とする充電器に関する。
【０００２】
また、電力を出力するときは、チョークコイルとチョーク鉄心が発生するインピーダンスマッチングが充電効率と安定性を向上し、且つ、そのチョークコイルに鉄粉芯を採用したことで、チョークコイルの耐ノイズ性とインピーダンスマッチングが向上される
ことを特徴とする充電器に関する。
【背景技術】
【０００３】
一般的な従来の充電器は、あらかじめ充電器の出力電流と電圧を調整することで、充電時の電量過多によるバッテリの寿命短縮やバッテリの焼きつき、また充電器の出力電力が不安定のとき、異なる電力型態のバッテリに対応できず、バッテリの寿命短縮や破損に繋がってしまうのを防ぐ必要がある。
【考案の開示】
【考案が解決しようとする課題】
【０００４】
本考案は、バッテリが必要とする充電電力を自動的に判別し、多様な充電模式を自動選定し、出力する電力と型態の自動切換えが可能な、高充電効率でバッテリの寿命を短縮することのない、充電器の提供を目的とする。
【課題を解決するための手段】
【０００５】
図１及び図２に示すように、本考案の充電器Aは、殻体B、台座B1、底板B２、面板B３、通風板B４、制御回路板C、駆動回路板C１、放熱片D、ファンE、出力端P及び入力端Qから構成され、そのうち、前記制御回路板C上にセンサMとマイクロプロセッサOを設置し、前記駆動回路板C１上に整流回路F、J、フィルター回路G、K、制御回路Hを設け、チョークコイルLと変圧器Iを放熱片Dの平面上に設置し、面板B３、制御回路板C、駆動回路板C１、放熱片D、ファンE、通風板B４をそれぞれ分離直列の配列で台座B１上に設置した後、殻体Bを被せてネジ留めし、底部は台座ネジB２１を底板B２に穿通してネジ留めする。
【０００６】
図２及び図３に示すように、その回路の特徴は、外部から入力された電源が、入力端Qから駆動回路板C１に入り、整流回路Fを経て交流電流が直流電流に変換され、チョークコイルLで発生したインピーダンスマッチングを経て電力効率と安定性が向上された後、フィルター回路Gに入り、フィルター回路G内のキャパシタG1が発生する充放電を利用しフィルタリングを完了後、電源を安定した直流電流とする。その充電時には、センサMが充電しようとしているバッテリT内部の電圧、電流、電量の状況を感知し、その感知結果をマイクロプロセッサO内部へ送り、マイクロプロセッサOが充電されるバッテリTの充電模式を選定した後、トランジスタH２１、H２２、H２３、H２４を経て出力回路の型態を切換え、ダイオードH３１、H３２、H３３、H３４で電流のフィードバックを防止し、レギュレータIC
H１１、H１２、H１３、H１４を介し再度電力を安定化した後、充電されるバッテリTの電力が他の回路にフィードバックするのを防ぐため、変圧器Iを介して電力出力端をカップリングし、さらに整流回路Jとフィルター回路Kを経て電力の安定性を向上した後、バッテリT内に入力される。
【０００７】
また、電力を出力するときは、チョークコイルLが発生するインピーダンスマッチングを経て充電効率と安定性を向上し、且つ、そのチョークコイルLに鉄粉芯を採用することで、チョークコイルLの耐ノイズ性とインピーダンスマッチングを向上する。
【０００８】
前記のうち、該整流回路Fはさらに半波整流回路、全波整流回路、ブリッジ整流回路及び関連電子回路の交流整流回路とする。
【０００９】
前記のうち、該フィルター回路Gはさらに抵抗‐コンデンサフィルター及び関連電力電子フィルターとする。
【００１０】
前記のうち、該マイクロプロセッサOはさらにAVR Megaシリーズ及び関連電子回路自動制御マイクロプロセッサとする。
【００１１】
前記のうち、該センサは電圧、電流、電量の感知機能を備えたものとする。
【考案の効果】
【００１２】
本考案の進歩性と実用性をより明確にするため、以下従来のものと比較して説明する。
従来品の欠点
１、バッテリが必要とする電力を充電器が自動的に判別することはできない。
２、電池の電力型態により出力する電力を制御することはできない。
３、バッテリ内部の電量に基づき出力電力を調整することはできず、バッテリの寿命が短縮されやすい。
本考案の利点
１、マイクロプロセッサを備えており、バッテリが必要とする充電電力を自動的に判別できる。
２、センサ回路と制御回路を利用し、出力する電力と型態を自動的に切換えることができる。
３、定格電圧、定格電流等、多様な充電模式を自動判別する。
４、充電効率を向上し、バッテリの寿命を延長することができる。
５、進歩性があり、実用的で便利である。
６、産業競争力が向上される。
【考案を実施するための最良の形態】
【００１３】
殻体、台座、底板、面板、通風板、制御回路板、駆動回路板、放熱片、ファン、出力端、入力端から構成される充電器であって、前記制御回路板上にはバッテリの電圧、電流及び電量を感知するセンサとマイクロプロセッサを設け、前記駆動回路板上に整流回路、フィルター回路及び制御回路を設け、前記放熱片の平面上には、チョークコイルとチョーク鉄心が放熱片の平面上に設けられ、面板、制御回路板、駆動回路板、放熱片、ファン及び通風板を、分離・直列の配列で台座上に設置するとともに、これらを殻体を被せてネジ留めし、底部は台座ネジを底板に穿通してネジ留めして成ることを構造上の特徴とし、さらにその回路は、入力された電源が入力端から駆動回路板に入り、整流回路を介して交流電流が直流電流に変換され、チョークコイルが発するインピーダンスマッチングを経て電力効率と安定性が向上された後フィルター回路に入り、電源が安定した直流電流となり、その充電時には、センサがバッテリ内部の電圧、電流、電量の状況を感知し、感知結果をマイクロプロセッサ内部へ送り、マイクロプロセッサが充電模式を選定した後、トランジスタを介し出力回路の型態を切換え、ダイオードで電流のフィードバックを防止し、電圧レギュレータICを介し再度安定化された電力を出力すると共に、同時に充電したバッテリが電流を発生し他の回路へフィードバックするのを防ぐため、変圧器を介し電力出力端をカップリングし、さらに整流回路とフィルター回路を経て電力の安定性を向上した後、電力をバッテリ内に入れることを特徴とし、また、電力を出力するときは、チョークコイルとチョーク鉄心が発生するインピーダンスマッチングが充電効率と安定性を向上し、且つ、そのチョークコイルに鉄粉芯を採用したことで、チョークコイルの耐ノイズ性とインピーダンスマッチングが向上されるようにした充電器である。
【００１４】
本考案の実施方法は、図４に示すように、入力端QにプラグQ1が接続され、電力を充電器A内部に入力し、充電器A内部の回路を介し、電力を出力端PのクリップP１からバッテリTに入力する。バッテリTの接触端T１と充電器AのクリップP１が接続され、電力が伝送される。
【００１５】
以上、本考案について説明してきたが、本考案は従来技術の構造を打破し、確実に求められる機能を増進でき、且つ、関連技術に詳しい技術者でなくても容易に理解でき、さらに、本考案はこれまで公開されておらず、その進歩性と実用性は、実用新案の出願条件を満たしているため、ここに出願するものである。
【００１６】
上述の最良の実施例は本考案の特許範囲を制限するものではなく、本考案の説明と図示内容を運用した同等効果の構造を、直接的または間接的に関連技術領域に応用したものは、すべて本考案の要旨に逸脱しないものとみなし、本考案に含まれるものとする。
【図面の簡単な説明】
【００１７】
【図１】本考案の立体図である。
【図２】本考案の立体分解図である。
【図３】本考案の回路図である。
【図４】本考案の実施例を示す立体斜視図である。
【符号の説明】
【００１８】
A        充電器
B        殻体
B１      台座
B２      底板
B２１    台座ネジ
B３      面板
B４      通風板
C        制御回路板
C１      駆動回路板
D        放熱片
E        ファン
F        整流回路
G        フィルター回路
G１      コンデンサ
H        制御回路
H1１、H１２、H１３、H１４    レギュレータIC    
H２１、H２２、H２３、H２４    トランジスタ
H３１、H３２、H３３、H３４    ダイオード
I        変圧器
J        整流回路
K        フィルター回路
L        チョークコイル
M        センサ
O        マイクロプロセッサ
P        出力端
P１      クリップ
Q        入力端
Q１      プラグ
T        バッテリ
T１      接触端